(57)【要約】【課題】筐体の嵌合保持部に嵌合部品を容易に組付けることができる電気接続箱を提供する。【解決手段】電気接続箱１は、嵌合部品１０が嵌合及び保持される嵌合保持部３１を有する筐体３０と、嵌合部品１０の周壁１１の開口端縁１２に沿って設けられ、嵌合保持部３１における側壁３２の側端縁３２ａを内外から覆う内側壁１２ａ及び外側壁１２ｂを有する第１止水部１４と、周壁１１の開口端縁１３に沿って設けられ、嵌合保持部３１における側壁３３の側端縁３３ａを内外から覆う内側壁１３ａ及び外側壁１３ｂを有する第２止水部１５と、開口端縁１２の延出方向Ｂに沿って嵌合部品１０を案内し、嵌合方向Ａに沿って開口端縁１２，１３にそれぞれ沿った第１止水部１４及び第２止水部１５の長さより短い嵌合ストロークの距離に嵌合部品１０を案内して嵌合及び保持するために嵌合保持部３１と嵌合部品１０との間に設けられたガイドロック機構４０と、を備える。【選択図】図３
2020150594.tif 000002
【特許請求の範囲】
【請求項１】
電子部品と、前記電子部品に電気的に接続される電線とが組付けられた嵌合部品と、
前記嵌合部品が嵌合及び保持される嵌合保持部を有する筐体と、
前記嵌合部品の外側面を形成する断面略Ｕ字形状の周壁と、
前記周壁の一方の開口端縁に沿って設けられ、前記嵌合保持部における対向する一方の側壁の側端縁を内外から覆う内側壁及び外側壁を有する第１止水部と、
前記周壁の他方の開口端縁に沿って設けられ、前記嵌合保持部における対向する他方の側壁の側端縁を内外から覆う内側壁及び外側壁を有する第２止水部と、
前記嵌合保持部に対し、前記第１止水部が設けられた前記一方の開口端縁の延出方向に沿って前記嵌合部品を案内し、前記延出方向と直交する嵌合方向に沿って前記一方及び他方の開口端縁にそれぞれ沿った前記第１止水部及び前記第２止水部の長さより短い嵌合ストロークの距離に前記嵌合部品を案内して嵌合及び保持するために前記嵌合保持部と前記嵌合部品との間に設けられたガイドロック機構と、
を備えることを特徴とする電気接続箱。
【請求項２】
前記周壁における一方の開口端縁と他方の開口端縁とが、前記延出方向が異なる角度にそれぞれ延出され、
前記第１止水部における前記内側壁及び前記外側壁と、前記第２止水部における前記内側壁とが、前記周壁の一方の開口端縁の延出方向に沿って平行に延出され、
前記第２止水部における前記外側壁が、前記周壁の他方の開口端縁の延出方向に沿って延出される
ことを特徴とする請求項１に記載の電気接続箱。
【請求項３】
前記ガイドロック機構は、
前記一方の側壁の内側に並設された第１内壁部の内面に対して前記一方の開口端縁の延出方向に沿って摺接する嵌合基準面と、前記第１内壁部の上端縁における第１被係合部に対して前記嵌合方向に沿った前記嵌合ストロークの距離に前記嵌合部品を案内する第１係合部とが、前記第１止水部の内方に設けられた第１ガイド部と、
前記他方の側壁の内側に設けられた第２内壁部の上端縁における第２被係合部に対して前記嵌合方向に沿った前記嵌合ストロークの距離に前記嵌合部品を案内する第２係合部が、前記第２止水部の内方に設けられた第２ガイド部と、
を有する
ことを特徴とする請求項２に記載の電気接続箱。
【請求項４】
前記第１被係合部が、前記第１内壁部の上端縁に凹設された第１凹部とされ、
前記第１係合部が、前記第１止水部の内方に設けられた第１係合壁の外面に突設されて前記第１凹部に係合する第１係合突部とされ、
前記第２被係合部が、前記他方の側壁の内側に設けられた前記第２内壁部の上端縁に凹設された第２凹部とされ、
前記第２係合部が、前記第２止水部の内方に設けられた第２係合壁の外面に突設されて前記第２凹部に係合する第２係合突部とされる
ことを特徴とする請求項３に記載の電気接続箱。
【発明の詳細な説明】
【技術分野】
【０００１】
本発明は、電気接続箱に関する。
【背景技術】
【０００２】
例えばヒューズやリレー等の電気部品を表面に着脱可能に装着する車載用の電気接続箱が知られている（特許文献１等参照）。この種の電気接続箱には、筐体等の内部に収容される電子部品の収容性を向上させるべく、電子部品が組付けられた接続体を筐体の接続体収容室に上下２段に重ねて配置したものが知られている。
【０００３】
下記の特許文献１には、電子部品及び電子部品の端子に対して電気的に接続される電線を組み付けた接続体と、複数の接続体を互いに間隔を空けた積層状態で収容及び保持する筐体と、を備えた電気接続箱が開示されている。筐体は、接続体を収容及び保持する接続体収容室が形成された収容部材を接続体の層毎に備え、それぞれの収容部材は、隣り合う層の間で、自らが収容及び保持している接続体と共に互いに着脱し得るよう構成されている。
【０００４】
下層の接続体を収容する収容部材は、積層状態に無い電子部品や接続体等を収容及び保持するための収容室が一体に形成されており、上層の接続体を収容する収容部材（嵌合部品）を着脱し得るように保持する嵌合保持部が筐体の側面に区画形成されている。そして、上層の接続体を収容する収容部材は、該収容部材の外側面を形成する断面略Ｕ字形状の周壁を有し、周壁の両開口端縁が嵌合保持部における両側壁にそれぞれ対向するように組み付けられると共に、周壁の下端縁が嵌合保持部の上端縁（下層の接続体を収容する収容部材の上端縁）に対向するように組み付けられる。この際、上層の接続体を収容する収容部材は、周壁の開口端側を連結する内壁に設けられたガイド部及びロック部からなるロック機構と、嵌合保持部の内壁に設けられたガイド部及びロック部からなるロック機構とによって、下層の接続体に対する積層方向に嵌合されて互いに係合状態（ロック状態）になる。即ち、上層の接続体を収容する収容部材は、筐体の嵌合保持部に対して着脱可能に保持される。
【先行技術文献】
【特許文献】
【０００５】
【特許文献１】特開２０１７−１２７０７８号公報
【発明の概要】
【発明が解決しようとする課題】
【０００６】
ところで、この種の電気接続箱では、上層の接続体を収容する収容部材における周壁の両開口端縁と嵌合保持部における両側壁とのそれぞれ対向部分には、水等の浸入を防ぐ止水構造が設けられることが望ましい。
例えば、図１２に示す収容部材５１０では、周壁５１１の両開口端縁５１２，５１３に沿って設けられ、嵌合保持部における対向する両側壁の側端縁（図示せず）をそれぞれ内外から覆う内側壁５１２ａ，５１３ａ及び外側壁５１２ｂ，５１３ｂを有する止水部５１４，５１５が設けられている。
【０００７】
しかしながら、作業者側からは見えづらい嵌合合わせ部分における収容部材側のロック機構５２５（ガイド部５２１及びロック部５２３）と嵌合保持部側のロック機構（図示せず）を係合状態としつつ、周壁５１１の両開口端縁５１２，５１３における止水部５１４，５１５を嵌合保持部における対向する側壁の側端縁にそれぞれ嵌合させなければならない収容部材５１０の組付け作業は、作業性がよくなかった。
【０００８】
また、止水部５１４，５１５における内側壁５１２ａ，５１３ａと外側壁５１２ｂ，５１３ｂとは、嵌合保持部における側壁の側端縁との間に止水構造（迷路構造）を構成するため、開口端縁５１２，５１３の高さ方向（図１２中、高さ方向）に沿ってそれぞれ設けられ、周壁５１１の開口端縁５１２，５１３の延出方向に沿って略平行にそれぞれ延出されている。ここで、周壁の一方の開口端縁５１２及び他方の開口端縁５１３が、延出方向が同じ角度（平行）に延出される場合には、嵌合保持部における側壁の先端側（前方側）から収容部材５１０の止水部５１４，５１５における内側壁５１２ａ，５１３ａと外側壁５１２ｂ，５１３ｂとを嵌挿することができる。
【０００９】
しかしながら、周壁の一方の開口端縁及び他方の開口端縁が、延出方向が異なる角度に広がってそれぞれ延出される場合には、嵌合保持部における側壁の先端側から収容部材５１０を嵌合すると、少なくとも一方の内側壁５１２ａ，５１３ａが嵌合保持部における対応する側壁に干渉してしまう。そこで、嵌合保持部における側壁の上端側から収容部材５１０の止水部５１４，５１５における内側壁５１２ａ，５１３ａと外側壁５１２ｂ，５１３ｂとを嵌挿しなければならない。その結果、収容部材５１０は、嵌合保持部に対して周壁５１１の開口端縁５１２，５１３の高さに応じた嵌合ストロークの距離Ｓ２が必要になり、収容部材５１０の組付け自由度が低下するという問題もあった。
【００１０】
本発明は上記状況に鑑みてなされたもので、その目的は、筐体の嵌合保持部に嵌合部品を容易に組付けることができる電気接続箱を提供することにある。
【課題を解決するための手段】
【００１１】
本発明に係る上記目的は、下記構成により達成される。
（１）  電子部品と、前記電子部品に電気的に接続される電線とが組付けられた嵌合部品と、前記嵌合部品が嵌合及び保持される嵌合保持部を有する筐体と、前記嵌合部品の外側面を形成する断面略Ｕ字形状の周壁と、前記周壁の一方の開口端縁に沿って設けられ、前記嵌合保持部における対向する一方の側壁の側端縁を内外から覆う内側壁及び外側壁を有する第１止水部と、前記周壁の他方の開口端縁に沿って設けられ、前記嵌合保持部における対向する他方の側壁の側端縁を内外から覆う内側壁及び外側壁を有する第２止水部と、前記嵌合保持部に対し、前記第１止水部が設けられた前記一方の開口端縁の延出方向に沿って前記嵌合部品を案内し、前記延出方向と直交する嵌合方向に沿って前記一方及び他方の開口端縁にそれぞれ沿った前記第１止水部及び前記第２止水部の長さより短い嵌合ストロークの距離に前記嵌合部品を案内して嵌合及び保持するために前記嵌合保持部と前記嵌合部品との間に設けられたガイドロック機構と、を備えることを特徴とする電気接続箱。
【００１２】
上記（１）の構成の電気接続箱によれば、筐体の嵌合保持部に組付けられる際、嵌合部品は、嵌合保持部と嵌合部品との間に設けられたガイドロック機構によって、嵌合保持部に対して第１止水部が設けられた一方の開口端縁の延出方向に沿って案内される。そして更に、嵌合部品は、この延出方向と直交する嵌合方向に沿って一方及び他方の開口端縁にそれぞれ沿った第１止水部及び第２止水部の長さより短い嵌合ストロークの距離に案内されることで、嵌合部品が嵌合保持部に嵌合及び保持される。
そこで、組立作業者は、嵌合保持部と嵌合部品との嵌合合わせ部分を直接目視することができない場合でも、嵌合保持部と嵌合部品との間に設けられたガイドロック機構によって、比較的に短い嵌合ストロークで嵌合部品を嵌合保持部に容易に嵌合及び保持させることができ、電気接続箱における嵌合部品の組付け作業性が向上する。
【００１３】
（２）  前記周壁における一方の開口端縁と他方の開口端縁とが、前記延出方向が異なる角度に広がってそれぞれ延出され、前記第１止水部における前記内側壁及び前記外側壁と、前記第２止水部における前記内側壁とが、前記周壁の一方の開口端縁の延出方向に沿って平行に延出され、前記第２止水部における前記外側壁が、前記周壁の他方の開口端縁の延出方向に沿って延出されることを特徴とする上記（１）に記載の電気接続箱。
【００１４】
上記（２）の構成の電気接続箱によれば、第２止水部における内側壁が、周壁の一方の開口端縁の延出方向に沿って第１止水部における内側壁及び外側壁と平行に延出される。そして、嵌合部品は、筐体の嵌合保持部に組付けられる際に、嵌合保持部に対して第１止水部が設けられた一方の開口端縁の延出方向に沿ってガイドロック機構により案内される。この時、周壁の一方の開口端縁と他方の開口端縁とが、延出方向が異なる角度に広がってそれぞれ延出されているにも関わらず、第２止水部における内側壁が、嵌合保持部における対応する側壁に干渉することがない。
そこで、筐体の嵌合保持部に組付けられる際、嵌合部品は、周壁の一方の開口端縁と他方の開口端縁とが、延出方向が異なる角度に広がってそれぞれ延出されているにも関わらず、嵌合保持部における側壁の先端側（前方側）から第１止水部及び第２止水部における内側壁と外側壁とをそれぞれ嵌挿することができる。従って、嵌合部品は、嵌合保持部における側壁の上端側から第１止水部及び第２止水部における内側壁と外側壁とをそれぞれ嵌挿する必然性がなくなり、嵌合保持部に対して周壁の開口端縁の高さに応じた嵌合ストロークが必須ではなくなるので、組付け自由度が向上する。
【００１５】
（３）  前記ガイドロック機構は、前記一方の側壁の内側に並設された第１内壁部の内面に対して前記一方の開口端縁の延出方向に沿って摺接する嵌合基準面と、前記第１内壁部の上端縁における第１被係合部に対して前記嵌合方向に沿った前記嵌合ストロークの距離に前記嵌合部品を案内する第１係合部とが、前記第１止水部の内方に設けられた第１ガイド部と、前記他方の側壁の内側に設けられた第２内壁部の上端縁における第２被係合部に対して前記嵌合方向に沿った前記嵌合ストロークの距離に前記嵌合部品を案内する第２係合部が、前記第２止水部の内方に設けられた第２ガイド部と、を有することを特徴とする上記（２）に記載の電気接続箱。
【００１６】
上記（３）の構成の電気接続箱によれば、筐体の嵌合保持部に組付けられる際、嵌合部品の第１止水部の内方に設けられた第１ガイド部の嵌合基準面が、嵌合保持部における一方の側壁の内側に並設された第１内壁部の内面に対して周壁の一方の開口端縁の延出方向に沿って摺接し、第１ガイド部の第１係合部が、第１内壁部の上端縁における第１被係合部に対して嵌合方向に沿った嵌合ストロークの距離に嵌合部品を案内する。更に、嵌合部品の第２止水部の内方に設けられた第２ガイド部の第２係合部が、嵌合保持部における他方の側壁の内側に設けられた第２内壁部の上端縁における第２被係合部に対して嵌合方向に沿った嵌合ストロークの距離に嵌合部品を案内する。
そこで、組立作業者は、嵌合部品を嵌合保持部に容易に嵌合及び保持させることができ、電気接続箱における嵌合部品の組付け作業性が向上する。
【００１７】
（４）  前記第１被係合部が、前記第１内壁部の上端縁に凹設された第１凹部とされ、前記第１係合部が、前記第１止水部の内方に設けられた第１係合壁の外面に突設されて前記第１凹部に係合する第１係合突部とされ、前記第２被係合部が、前記他方の側壁の内側に設けられた前記第２内壁部の上端縁に凹設された第２凹部とされ、前記第２係合部が、前記第２止水部の内方に設けられた第２係合壁の外面に突設されて前記第２凹部に係合する第２係合突部とされることを特徴とする上記（３）に記載の電気接続箱。
【００１８】
上記（４）の構成の電気接続箱によれば、第１被係合部が第１内壁部の上端縁に凹設された第１凹部で形成され、第１係合部が第１係合壁の外面に突設された第１係合突部で形成され、第２被係合部が第２内壁部の上端縁に凹設された第２凹部で形成され、第２係合部が第２係合壁の外面に突設された第２係合突部で形成される。
そこで、簡単な凹凸構造からなる第１ガイド部及び第２ガイド部によって、ガイドロック機構を容易に構成することができる。
【発明の効果】
【００１９】
本発明に係る電気接続箱によれば、筐体の嵌合保持部に嵌合部品を容易に組付けることができる。
【００２０】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００２１】
【図１】本発明の一実施形態に係る電気接続箱のカバーを外した状態を示す斜視図である。
【図２】図１に示したケース本体の筐体から嵌合部品を外した状態を示す斜視図である。
【図３】図１に示した筐体の嵌合保持部に嵌合部品を嵌合する前の要部平面図である。
【図４】図３に示した筐体と嵌合部品の要部側面図である。
【図５】図３に示した嵌合部品を一方の開口端縁の延出方向に沿って筐体の嵌合保持部に案内する途中の要部平面図である。
【図６】図５に示した嵌合部品を嵌合保持部に案内する途中の第１ガイド部を示す要部拡大斜視図である。
【図７】図５に示した嵌合部品を嵌合保持部に案内する途中の第２ガイド部を示す要部拡大斜視図である。
【図８】図３に示した筐体の嵌合保持部における嵌合開始位置に嵌合部品を案内した後の要部平面図である。
【図９】図８に示した筐体と嵌合部品の要部側面図である。
【図１０】図９に示した嵌合部品を嵌合保持部の嵌合完了位置に案内した後の要部平面図である。
【図１１】図１０におけるＸＩ−ＸＩ断面矢視図である。
【図１２】従来の電気接続箱における収容部材（嵌合部品）の嵌合合わせ部分を示す斜視図である
【発明を実施するための形態】
【００２２】
以下、本発明に係る実施形態を、図面を参照して説明する。
図１は本発明の一実施形態に係る電気接続箱１から第１及び第２アッパーカバー２１，２２を外した状態を示す斜視図、図２は図１に示したケース本体２０の筐体３０から嵌合部品１０を外した状態を示す斜視図である。図３及び図４は図１に示した筐体３０の嵌合保持部３１に嵌合部品１０を嵌合する前の要部平面図及び要部側面図である。
【００２３】
本実施形態に係る電気接続箱１は、例えば、車両に搭載され、図示しない車両の電源（二次電池）と電子機器との間に介在させ、その電源から電子機器への供給電力を調整するものである。この電気接続箱１は、リレーボックス、ヒューズボックス、ジャンクションボックス等と称される場合もある。
【００２４】
本実施形態に係る電気接続箱１は、図１及び図２に示すように、例えばそれぞれが絶縁樹脂製の筐体３０と、筐体３０の嵌合保持部３１に嵌合保持される嵌合部品１０と、筐体３０の下方開口を覆うロアカバー２４とを備えたケース本体２０内に複数の電子部品３を収容し、筐体３０の上方開口を第１及び第２アッパーカバー２１，２２で覆っている。
【００２５】
ケース本体２０内に収容される電子部品３とは、例えば、リレー、ヒューズやヒュージブルリンク等のことである。電子部品３は、筐体３０の内方に配置されたリレー本体やヒューズ本体等の電子部品本体（図示略）と、その電子部品本体に対して電気的に接続された電気接続部としての複数の端子（図示略）と、を備える。これら電子部品３の端子には、電線５が電気的に接続されている。
【００２６】
この電子部品３の端子に対して電気的に接続される電線５は、一方の端部を電子部品３の端子に対して電気的に接続させ、他方の端部を電源（二次電池）や電子機器に対して電気的に接続させるものである。この電線５は、相手側端子（図示略）を介して電子部品３の端子に電気的に接続する。ケース本体２０から引き出された複数本の電線５は、粘着テープやコルゲートチューブ等の外装材７で一纏めに束ねられている。
【００２７】
本実施形態に係る筐体３０は、図２に示すように、嵌合部品１０を嵌合保持する嵌合保持部３１と、複数の電子部品３を収容及び保持する複数の電子部品収容室２５，２６とを備える。電子部品収容室２５は、筐体３０の上方開口に露出するように複数の電子部品３が収容配置されている。電子部品収容室２６は、嵌合部品１０の下方に積層状態となるように複数の電子部品３が収容配置されている。勿論、複数の電子部品収容室２５，２６の配置は、これに限らず種々の配置が可能であることは云うまでもない。
【００２８】
なお、本明細書の電気接続箱１においては説明の都合上、図１の嵌合部品１０が組付けられる側を前側、その反対側を後側とし、嵌合部品１０から電線５が引き出される側を右側、その反対側を左側とする。嵌合保持部３１の右斜め前方から水平方向に案内されて嵌合開始位置に達した嵌合部品１０が下方の嵌合完了位置まで案内される嵌合方向（矢印Ａ方向）は、電気接続箱１の上側から下側となる。従って、本明細書中において、前後上下左右の方向は図１に示す矢印の通りとなる。
【００２９】
図２及び図３に示すように、本実施形態に係る嵌合保持部３１は、下層の電子部品収容室２６の上方に嵌合部品１０を着脱し得るように嵌合保持するために、筐体３０の側面に区画形成されている。
嵌合保持部３１は、電子部品収容室２５を区画形成している筐体３０の両側壁から前側にそれぞれ延設された一方の側壁３２及び他方の側壁３３を有する。
【００３０】
嵌合保持部３１における一方の側壁３２の内側には、第１内壁部３４が並設されている。一方の側壁３２と平行に設けられた第１内壁部３４の内面は、後述する嵌合部品１０における第１ガイド部４５の嵌合基準面４１が摺接する。第１内壁部３４の上端縁３４ｂには、第１凹部５１が凹設された第１被係合部５０が設けられている。第１凹部５１には、第１ガイド部４５の第１係合部４３である一対の第１係合突部１７が嵌挿される。
【００３１】
嵌合保持部３１における他方の側壁３３の内側には、第２内壁部３５が設けられている。一方の側壁３２と平行に設けられた第２内壁部３５の上端縁３５ｂには、第２凹部５３が凹設された第２被係合部６０が設けられている。第２凹部５３には、後述する嵌合部品１０における第２ガイド部４９の第２係合部４７である第２係合突部１９が嵌挿される。
【００３２】
図１及び図２に示すように、本実施形態に係る嵌合部品１０は、電子部品３と、電子部品３に電気的に接続される電線５とが組付けられている。嵌合保持部３１に嵌合保持された嵌合部品１０から引き出された複数本の電線５は、外装材７で一纏めに束ねられて下層の電子部品収容室２６の右側の外側面に沿って下方へ導出されている。電線５の下端部は、図示しない電子機器に対して電気的に接続されている。なお、本実施形態に係る嵌合部品１０は、嵌合部品１０自体が上下積層状態の電子部品収容室を有する分割構造とされている。勿論、嵌合部品１０の構造は、このような積層構造に限らず単層構造でもよいことは云うまでもない。
【００３３】
嵌合部品１０は、図３に示すように、筐体３０の両側壁に連続する外側面を形成する断面略Ｕ字形状の周壁１１と、周壁１１の一方の開口端縁１２に沿って設けられ、嵌合保持部３１における対向する一方の側壁３２の側端縁３２ａを内外から覆う内側壁１２ａ及び外側壁１２ｂを有して止水構造（迷路構造）を構成する第１止水部１４と、周壁１１の他方の開口端縁１３に沿って設けられ、嵌合保持部３１における対向する他方の側壁３３の側端縁３３ａを内外から覆う内側壁１３ａ及び外側壁を１３ｂ有して止水構造（迷路構造）を構成する第２止水部１５と、を備える。
【００３４】
本実施形態に係る嵌合部品１０の周壁１１は、一方の開口端縁１２の延出方向Ｂと他方の開口端縁１３の延出方向Ｃとが異なる角度に広がってそれぞれ延出され、第１止水部１４における内側壁１２ａ及び外側壁１２ｂと、第２止水部１５における内側壁１３ａとが、周壁１１の一方の開口端縁１２の延出方向Ｂに沿って平行に延出され、第２止水部１５における外側壁１３ｂが、周壁１１の他方の開口端縁１３の延出方向Ｃに沿って延出されている。これら内側壁１２ａ及び外側壁１２ｂと内側壁１３ａ及び外側壁１３ｂとは、延出方向Ｂ，Ｃとそれぞれ直交する嵌合方向Ａに沿って一方の開口端縁１２又は他方の開口端縁１３にそれぞれ沿って延びる長尺板状に形成されている。
【００３５】
第１止水部１４の内方に設けられた第１ガイド部４５は、嵌合保持部３１における第１内壁部３４の内面に対して一方の開口端縁１２の延出方向Ｂに沿って摺接する嵌合基準面４１と、第１内壁部３４の上端縁３４ｂに凹設された第１凹部５１（第１被係合部５０）に対して嵌合方向Ａに沿った嵌合ストロークの距離Ｓ１に嵌合部品１０を案内する第１係合部４３と、を備える（図６参照）。
第１係合部４３は、第１止水部１４の内方に設けられた第１係合壁１６の外面１６ａに突設されて第１凹部５１に係合する一対の第１係合突部１７とされている。
【００３６】
第２止水部１５の内方に設けられた第２ガイド部４９は、嵌合保持部３１における第２内壁部３５の上端縁３５ｂに凹設された第２凹部５３（第２被係合部６０）に対して嵌合方向Ａに沿った前記嵌合ストロークの距離Ｓ１に嵌合部品１０を案内する第２係合部４７と、を備える（図７参照）。
第２係合部４７は、第２止水部１５の内方に設けられた第２係合壁１８の外面１８ａに突設されて第２凹部５３に係合する第２係合突部１９とされている。本実施形態の第２係合突部１９は、先端が内側壁１３ａの先端と連結されることで、剛性向上が図られている。
【００３７】
そして、本実施形態に係る電気接続箱１は、嵌合保持部３１に対し、第１止水部１４が設けられた一方の開口端縁１２の延出方向Ｂに沿って嵌合部品１０を案内し、延出方向Ｂ，Ｃとそれぞれ直交する嵌合方向Ａに沿って一方及び他方の開口端縁１２，１３にそれぞれ沿った第１止水部１４及び第２止水部１５の上下方向長さＬ１より短い嵌合ストロークの距離Ｓ１に嵌合部品１０を案内して嵌合及び保持するために嵌合保持部３１と嵌合部品１０との間に設けられたガイドロック機構４０を備える。
【００３８】
本実施形態に係るガイドロック機構４０は、図３に示すように、嵌合保持部３１における一方の側壁３２の内側に並設された第１内壁部３４の内面３４ｃ及び第１凹部５１（第１被係合部５０）と、嵌合保持部３１における他方の側壁３３の内側に設けられた第２内壁部３５の第２凹部５３（第２被係合部６０）と、嵌合部品１０における第１止水部１４の内方に設けられた第１ガイド部４５と、嵌合部品１０における第２止水部１５の内方に設けられた第２ガイド部４９とで構成されている。
【００３９】
次に、電気接続箱１における筐体３０の嵌合保持部３１に組付けられる嵌合部品１０の組付け手順を説明する。
図５は、図３に示した嵌合部品１０を一方の開口端縁１２の延出方向Ｂに沿って筐体３０の嵌合保持部３１に案内する途中の要部平面図である。図６は、図５に示した嵌合部品１０を嵌合保持部３１に案内する途中の第１ガイド部４５を示す要部拡大斜視図である。図７は、図５に示した嵌合部品１０を嵌合保持部３１に案内する途中の第２ガイド部４９を示す要部拡大斜視図である。図８は、図３に示した筐体３０の嵌合保持部３１における嵌合開始位置に嵌合部品１０を案内した後の要部平面図である。図９は、図８に示した筐体３０と嵌合部品１０の要部側面図である。図１０は、図９に示した嵌合部品１０を嵌合保持部３１の嵌合完了位置に案内した後の要部平面図である。
【００４０】
先ず、図５に示すように、嵌合保持部３１の右斜め前方から水平方向に嵌合部品１０を筐体３０の嵌合保持部３１に挿入する。この際、嵌合部品１０は、嵌合保持部３１と嵌合部品１０との間に設けられたガイドロック機構４０によって、嵌合保持部３１に対して第１止水部１４が設けられた一方の開口端縁１２の延出方向Ｂに沿って案内される。
【００４１】
即ち、嵌合部品１０における第１ガイド部４５の嵌合基準面４１が、嵌合保持部３１における一方の側壁３２の内側に並設された第１内壁部３４の内面３４ｃに対して周壁１１の一方の開口端縁１２の延出方向Ｂに沿って摺接し、第１ガイド部４５の一対の第１係合突部１７が、図６に示すように、第１内壁部３４の上端縁３４ｂに対して摺接する。
また、嵌合部品１０における第２ガイド部４９の第２係合突部１９が、図７に示すように、第２内壁部３５の上端縁３５ｂに対して摺接する（図７参照）。
【００４２】
従って、組立作業者は、嵌合保持部３１と嵌合部品１０との嵌合合わせ部分を直接目視することができない場合でも、第１ガイド部４５の嵌合基準面４１が、第１内壁部３４の内面３４ｃに摺接し、第１ガイド部４５の第１係合突部１７及び第２ガイド部４９の第２係合突部１９が、第１内壁部３４の上端縁３４ｂ及び第２内壁部３５の上端縁３５ｂにそれぞれ摺接するように、嵌合保持部３１の右斜め前方から一方の開口端縁１２の延出方向Ｂに沿って嵌合部品１０を筐体３０の嵌合保持部３１に水平に挿入するだけで、嵌合部品１０を嵌合開始位置（図８及び図９に図示された位置）に案内することができる。
【００４３】
また、嵌合部品１０を嵌合保持部３１に対して水平に挿入する際の高さが所定高さよりも低い場合には、第１ガイド部４５の第１係合突部１７及び第２ガイド部４９の第２係合突部１９が、第１内壁部３４の側端縁３４ａ及び第２内壁部３５の側端縁３５ｂにそれぞれ当接し、挿入が阻止される。そこで、組立作業者は、嵌合部品１０を嵌合保持部３１に対して水平に挿入する際の高さが所定高さよりも低いことを容易に検知することができる。
【００４４】
そして、嵌合部品１０が嵌合開始位置に達すると、第１内壁部３４の上端縁３４ｂ及び第２内壁部３５の上端縁３５ｂにそれぞれ摺接していた第１ガイド部４５の第１係合突部１７及び第２ガイド部４９の第２係合突部１９が、第１内壁部３４の第１凹部５１及び第２内壁部３５の第２凹部５３に嵌挿される。
【００４５】
そこで、第１ガイド部４５の第１係合突部１７及び第２ガイド部４９の第２係合突部１９は、第１内壁部３４の第１凹部５１及び第２内壁部３５の第２凹部５３の底面にそれぞれ達する下方の嵌合完了位置（図１０に図示された位置）まで、嵌合方向Ａに沿った嵌合ストロークの距離Ｓ１に嵌合部品１０を案内することができる。即ち、嵌合方向Ａに沿った第１係合突部１７及び第２係合突部１９の高さと第１凹部５１及び第２凹部５３の深さとを適宜変えることによって、嵌合ストロークの距離Ｓ１を設定することができる。
【００４６】
嵌合部品１０は、図１１に示すように、第１係合突部１７及び第２係合突部１９が第１凹部５１及び第２凹部５３にそれぞれ嵌挿されると共に、周壁１１の前側に設けたロック爪７１が電子部品収容室２６の前側の外側面に設けたロック部７３にロック係止される（図１参照）ことで、嵌合保持部３１に対してロック状態で嵌合及び保持される。
【００４７】
即ち、嵌合部品１０は、一方及び他方の開口端縁１２，１３の延出方向Ｂ，Ｃと直交する嵌合方向Ａに沿って一方及び他方の開口端縁１２，１３にそれぞれ沿った第１止水部１４及び第２止水部１５の長さＬ１より短い嵌合ストロークの距離Ｓ１に案内されることで、嵌合部品１０が嵌合保持部３１に嵌合及び保持される。
【００４８】
そこで、組立作業者は、嵌合保持部３１と嵌合部品１０との嵌合合わせ部分を直接目視することができない場合でも、嵌合保持部３１と嵌合部品１０との間に設けられたガイドロック機構４０によって、比較的に短い嵌合ストロークで嵌合部品１０を嵌合保持部３１に容易に嵌合及び保持させることができ、嵌合部品１０の組付け作業性が向上する。
【００４９】
また、本実施形態に係る電気接続箱１によれば、図３に示したように、第２止水部１５における内側壁１３ａが、周壁１１の一方の開口端縁１２の延出方向Ｂに沿って第１止水部１４における内側壁１２ａ及び外側壁１２ｂと平行に延出される。そして、嵌合部品１０は、筐体３０の嵌合保持部３１に組付けられる際、嵌合保持部３１に対して第１止水部１４が設けられた一方の開口端縁１２の延出方向Ｂに沿ってガイドロック機構４０により案内される。この時、周壁１１の一方の開口端縁１２と他方の開口端縁１３とが、延出方向Ｂ，Ｃが異なる角度に広がってそれぞれ延出されているにも関わらず、第２止水部１５における内側壁１３ａが、嵌合保持部３１における対応する側壁３３に干渉することがない。
【００５０】
そこで、筐体３０の嵌合保持部３１に組付けられる際、嵌合部品１０は、周壁１１の一方の開口端縁１２と他方の開口端縁１２とが、延出方向Ｂ，Ｃが異なる角度に広がってそれぞれ延出されているにも関わらず、嵌合保持部３１における側壁３２，３３の先端側（前方側）から第１止水部１４及び第２止水部１５における内側壁１２ａ，１２ｂと外側壁１２ｂ，１３ｂとをそれぞれ嵌挿することができる。
【００５１】
従って、嵌合部品１０は、嵌合保持部３１における側壁３２，３３の上端側から第１止水部１４及び第２止水部１５における内側壁１２ａ，１２ｂと外側壁１２ｂ，１３ｂとをそれぞれ嵌挿する必然性がなくなり、嵌合保持部３１に対して周壁１１の開口端縁１２，１３の高さ（長さＬ１）に応じた嵌合ストロークが必須ではなくなるので、組付け自由度が向上する。
【００５２】
例えば、車両に取り付けられている筐体３０の嵌合保持部３１に対して嵌合部品１０を脱着する際、嵌合部品１０から下方へ引き出された複数本の電線５の余長が短く、嵌合部品１０を周壁１１の開口端縁１２，１３の高さ（長さＬ１）に応じた嵌合ストロークの距離以上に引き上げることができない場合がある。このような場合でも、本実施形態の電気接続箱１は、第１止水部１４及び第２止水部１５をそれぞれ有する嵌合部品１０の一方の開口端縁１２と他方の開口端縁１２とが、延出方向Ｂ，Ｃが異なる角度に広がってそれぞれ延出されているにも関わらず、嵌合保持部３１における側壁３２，３３の先端側（前方側）から嵌合部品１０を組付けることができる。
【００５３】
また、本実施形態に係る電気接続箱１によれば、嵌合部品１０が筐体３０の嵌合保持部３１に組付けられる際、嵌合部品１０の第１止水部１４の内方に設けられた第１ガイド部４５の嵌合基準面４１が、嵌合保持部３１における一方の側壁３２の内側に並設された第１内壁部３４の内面３４ｃに対して周壁１１の一方の開口端縁１２の延出方向Ｂに沿って摺接し、第１ガイド部４５の第１係合部４３が、第１内壁部３４の上端縁３４ｂにおける第１被係合部５０に対して嵌合方向Ａに沿った嵌合ストロークの距離Ｓ１に嵌合部品１０を案内する。更に、嵌合部品１０の第２止水部１５の内方に設けられた第２ガイド部４９の第２係合部４７が、嵌合保持部３１における他方の側壁３３の内側に設けられた第２内壁部３５の上端縁３５ｂにおける第２被係合部６０に対して嵌合方向Ａに沿った嵌合ストロークの距離Ｓ１に嵌合部品１０を案内する。
そこで、組立作業者は、嵌合部品１０を嵌合保持部３１に容易に嵌合及び保持させることができ、電気接続箱１における嵌合部品１０の組付け作業性が向上する。
【００５４】
また、本実施形態に係る電気接続箱１によれば、第１被係合部５０が第１内壁部３４の上端縁３４ｂに凹設された第１凹部５１で形成され、第１係合部４３が第１係合壁１６の外面１６ａに突設された第１係合突部１７で形成され、第２被係合部６０が第２内壁部３５の上端縁３５ｂに凹設された第２凹部５３で形成され、第２係合部４７が第２係合壁１８の外面１８ａに突設された第２係合突部１９で形成される。
そこで、本実施形態に係る電気接続箱１によれば、簡単な凹凸構造からなる第１ガイド部４５及び第２ガイド部４９によって、ガイドロック機構４０を容易に構成することができる。勿論、第１ガイド部４５及び第２ガイド部４９の構成は、本実施形態の構成に限定されるものではなく、本発明の趣旨に基づいて種々の構成を採り得ることは云うまでもない。
【００５５】
従って、上述した本実施形態に係る電気接続箱１によれば、筐体３０の嵌合保持部３１に嵌合部品１０を容易に組付けることができる。
【００５６】
本発明は上記の実施形態に限定されるものではなく、実施形態の各構成を相互に組み合わせることや、明細書の記載、並びに周知の技術に基づいて、当業者が変更、応用することも本発明の予定するところであり、保護を求める範囲に含まれる。
例えば、上記の実施形態に係る電気接続箱１は、嵌合部品１０の周壁１１における一方の開口端縁１２の延出方向Ｂと他方の開口端縁１３の延出方向Ｃとが異なる角度に広がってそれぞれ延出される場合について説明したが、本発明に係る嵌合部品は、嵌合部品の周壁における一方の開口端縁の延出方向と他方の開口端縁の延出方向とが平行に延出され、第１止水部における内側壁及び外側壁と第２止水部における内側壁及び外側壁とが全て平行に延出されてもよい。
【００５７】
ここで、上述した本発明に係る電気接続箱の実施形態の特徴をそれぞれ以下［１］〜［４］に簡潔に纏めて列記する。
［１］  電子部品（３）と、前記電子部品（３）に電気的に接続される電線（５）とが組付けられた嵌合部品（１０）と、
前記嵌合部品（１０）が嵌合及び保持される嵌合保持部（３１）を有する筐体（３０）と、
前記嵌合部品（１０）の外側面を形成する断面略Ｕ字形状の周壁（１１）と、
前記周壁（１１）の一方の開口端縁（１２）に沿って設けられ、前記嵌合保持部（３１）における対向する一方の側壁（３２）の側端縁（３２ａ）を内外から覆う内側壁（１２ａ）及び外側壁（１２ｂ）を有する第１止水部（１４）と、
前記周壁（１１）の他方の開口端縁（１３）に沿って設けられ、前記嵌合保持部（３１）における対向する他方の側壁（３３）の側端縁（３３ａ）を内外から覆う内側壁（１３ａ）及び外側壁（１３ｂ）を有する第２止水部（１５）と、
前記嵌合保持部（３１）に対し、前記第１止水部（１４）が設けられた前記一方の開口端縁（１２）の延出方向（Ｂ）に沿って前記嵌合部品（１０）を案内し、前記延出方向（Ｂ）と直交する嵌合方向（Ａ）に沿って前記一方及び他方の開口端縁（１２，１３）にそれぞれ沿った前記第１止水部（１４）及び前記第２止水部（１５）の長さ（Ｌ１）より短い嵌合ストロークの距離（Ｓ１）に前記嵌合部品（１０）を案内して嵌合及び保持するために前記嵌合保持部（３１）と前記嵌合部品（１０）との間に設けられたガイドロック機構（４０）と、
を備えることを特徴とする電気接続箱（１）。
［２］  前記周壁（１１）における一方の開口端縁（１２）と他方の開口端縁（１３）とが、前記延出方向が異なる角度に広がってそれぞれ延出され、
前記第１止水部（１４）における前記内側壁（１２ａ）及び前記外側壁（１２ｂ）と、前記第２止水部（１５）における前記内側壁（１３ａ）とが、前記周壁（１１）の一方の開口端縁（１２）の延出方向（Ｂ）に沿って平行に延出され、
前記第２止水部（１５）における前記外側壁（１３ｂ）が、前記周壁（１１）の他方の開口端縁（１３）の延出方向（Ｃ）に沿って延出される
ことを特徴とする上記［１］に記載の電気接続箱（１）。
［３］  前記ガイドロック機構（４０）は、
前記一方の側壁（３２）の内側に並設された第１内壁部（３４）の内面（３４ｃ）に対して前記一方の開口端縁（１２）の延出方向に沿って摺接する嵌合基準面（４１）と、前記第１内壁部（３４）の上端縁（３４ｂ）における第１被係合部（５０）に対して前記嵌合方向（Ａ）に沿った前記嵌合ストロークの距離（Ｓ１）に前記嵌合部品（１０）を案内する第１係合部（４３）とが、前記第１止水部（１４）の内方に設けられた第１ガイド部（４５）と、
前記他方の側壁（３３）の内側に設けられた第２内壁部（３５）の上端縁（３５ｂ）における第２被係合部（６０）に対して前記嵌合方向（Ａ）に沿った前記嵌合ストロークの距離（Ｓ１）に前記嵌合部品（１０）を案内する第２係合部（４７）が、前記第２止水部（１５）の内方に設けられた第２ガイド部（４９）と、
を有する
ことを特徴とする上記［２］に記載の電気接続箱（１）。
［４］  前記第１被係合部（５０）が、前記第１内壁部（３４）の上端縁（３４ｂ）に凹設された第１凹部（５１）とされ、
前記第１係合部（４３）が、前記第１止水部（１４）の内方に設けられた第１係合壁（１６）の外面（１６ａ）に突設されて前記第１凹部（５１）に係合する第１係合突部（１７）とされ、
前記第２被係合部（６０）が、前記他方の側壁（３３）の内側に設けられた前記第２内壁部（３５）の上端縁（３５ｂ）に凹設された第２凹部（５３）とされ、
前記第２係合部（４７）が、前記第２止水部（１５）の内方に設けられた第２係合壁（１８）の外面（１８ａ）に突設されて前記第２凹部（５３）に係合する第２係合突部（１９）とされる
ことを特徴とする上記［３］に記載の電気接続箱（１）。
【符号の説明】
【００５８】
１…電気接続箱
３…電子部品
５…電線
１０…嵌合部品
１１…周壁
１２…一方の開口端縁
１２ａ…内側壁
１２ｂ…外側壁
１３…他方の開口端縁
１３ａ…内側壁
１３ｂ…外側壁
１４…第１止水部
１５…第２止水部
３０…筐体
３１…嵌合保持部
３２…一方の側壁
３２ａ…側端縁
３３…他方の側壁
４０…ガイドロック機構
【図１】
2020150594.tif 000003
【図２】
2020150594.tif 000004
【図３】
2020150594.tif 000005
【図４】
2020150594.tif 000006
【図５】
2020150594.tif 000007
【図６】
2020150594.tif 000008
【図７】
2020150594.tif 000009
【図８】
2020150594.tif 000010
【図９】
2020150594.tif 000011
【図１０】
2020150594.tif 000012
【図１１】
2020150594.tif 000013
【図１２】
2020150594.tif 000014